【事件の表示】
　特許第２９９５９５７号「洗濯機」の請求項１ないし３に係る特許に対する特許異議の申立てについて、次のとおり決定する。
【結　論】
　訂正を認める。
　特許第２９９５９５７号の請求項１ないし３に係る特許を維持する。
【理　由】
１．手続の経緯
　特許第2995957号に係る発明についての出願は、平成３年10月22日に特許出願され、平成11年10月29日にその発明について特許の設定登録され、その後、その特許について、異議申立人株式会社東芝により特許異議の申立てがなされ、取消理由通知がなされ、その指定期間内である平成13年２月13日に訂正請求（後日取り下げ）がなされた後、再度取消の理由が通知され、その指定期間内である平成13年６月18日に訂正請求がなされたものである。
　　
２．訂正の適否についての判断
　特許権者が求めている訂正の内容は以下のとおりである。
ア．訂正事項
ａ．特許請求の範囲の請求項１の「外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、
　前記布量検知手段は、前記給水手段により水道水を給水する前の前記洗濯兼脱水槽内に投入された乾布状態の衣類を前記攪拌翼で断続的に複数回回転させ、前記攪拌翼が停止に至る慣性回転中に前記攪拌翼に加わる衣類の抵抗を複数回検知し、これらの検知結果に基づいて前記衣類の量を求め、その衣類の量に応じた洗剤量を表示することを特徴とした洗濯機。」を「外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、
　前記布量検知手段は、前記給水手段により水道水を給水する前の前記洗濯兼脱水槽内に投入された乾布状態の衣類を前記攪拌翼で断続的に複数回回転させ、前記攪拌翼が停止に至る慣性回転中に前記攪拌翼に加わる衣類の抵抗を複数回検知し、これらの検知結果に基づいて前記衣類の量を求め、その衣類の量に応じた洗剤量をスプーンの目安で表示し、さらに水量を表示することを特徴とした洗濯機。」に訂正する。
ｂ．明細書の段落【0007】の「上記目的を達成するために、外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、前記布量検知手段は、前記給水手段により水道水を給水する前の前記洗濯兼脱水槽内に投入された乾布状態の衣類を前記攪拌翼で断続的に複数回回転させ、前記攪拌翼が停止に至る慣性回転中に前記攪拌翼に加わる衣類の抵抗を複数回検知し、これらの検知結果に基づいて前記衣類の量を求め、その衣類の量に応じた洗剤量を表示することを特徴とする。」を「上記目的を達成するために、外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、前記布量検知手段は、前記給水手段により水道水を給水する前の前記洗濯兼脱水槽内に投入された乾布状態の衣類を前記攪拌翼で断続的に複数回回転させ、前記攪拌翼が停止に至る慣性回転中に前記攪拌翼に加わる衣類の抵抗を複数回検知し、これらの検知結果に基づいて前記衣類の量を求め、その衣類の量に応じた洗剤量をスプーンの目安で表示し、さらに水量を表示することを特徴とする。」に訂正する。
イ．訂正の目的の適否、新規事項の有無及び拡張・変更の存否
　上記ａの訂正事項に関連して、訂正前の明細書の段落【0014】には、「この布量に応じて図４に示すごとく、水量と洗剤量（スプーン表示）の目安を表示する。」と記載されているので、上記ａの訂正は、実施例の構成に表示を限定したものであり、特許請求の範囲の減縮を目的とする訂正であって、新規事項の追加に該当せず、また、実質上特許請求の範囲を拡張し、又は変更するものでもない。
　上記ｂの訂正事項は、上記ａの訂正事項において特許請求の範囲を訂正したことに伴って、特許請求の範囲と発明の詳細な説明の記載との整合をとったものであり、明瞭でない記載の釈明を目的とする訂正であって、新規事項の追加に該当せず、また、実質上特許請求の範囲を拡張し、又は変更するものでもない。  
ウ．むすび
　以上のとおりであるから、上記訂正は特許法第120条の４第３項において準用する平成６年法律第116号による改正前の第126条第１項ただし書、第２項及び第３項の規定に適合するので、当該訂正を認める。
　
３．特許異議申し立てについて
ア．申立ての理由の概要
　特許異議申立人株式会社東芝は、平成12年6月22日付の特許異議申立てにおいて、証拠として甲第１号証［特開昭60−34493号公報］、甲第２号証［特開昭62−122697号公報］、甲第３号証［特開平２−154794号公報］、甲第４号証［特開平２−286197号公報］、を提出し、本件請求項１〜３に係る発明は、甲第１〜４号証に記載された発明に基づき当業者が容易になし得るものであるので、特許法第29条第２項の規定により特許を受けることができないものである旨主張する。
イ．本件訂正後の発明
　本件発明は訂正明細書の特許請求の範囲に記載された事項により特定される次のとおりのものである。
「【請求項１】外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、
　前記布量検知手段は、前記給水手段により水道水を給水する前の前記洗濯兼脱水槽内に投入された乾布状態の衣類を前記攪拌翼で断続的に複数回回転させ、前記攪拌翼が停止に至る慣性回転中に前記攪拌翼に加わる衣類の抵抗を複数回検知し、これらの検知結果に基づいて前記衣類の量を求め、その衣類の量に応じた洗剤量をスプーンの目安で表示し、さらに水量を表示することを特徴とした洗濯機。
【請求項２】請求項１に記載のものにおいて、予約運転を行う予約運転手段を設け、使用者が前記予約運転手段によって予約運転を設定する際に、前記布量検知手段により前記衣類の量を求め、その衣類の量に応じて洗剤量を表示することを特徴とした洗濯機。
【請求項３】外枠と、この外枠内に吊下される外槽と、前記外槽内に内置される洗濯兼脱水槽と、前記洗濯兼脱水槽内に回転自在に設置される攪拌翼と、前記攪拌翼及び洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、
　前記給水手段により水道水を給水する前の前記洗濯兼脱水槽内に投入された前記衣類が乾布状態のときの前記布量検知手段で得られた布量をもとに決められる第１の設定水位と、前記給水手段により水道水を所定水位まで注水した状態の前記洗濯兼脱水槽内に投入された衣類が湿布状態のときの前記布量検知手段で得られた布量をもとに決められる第２の設定水位とが異なっている場合には前記第２の設定水位をもとに水位を決定することを特徴とする洗濯機。」
ウ．引用刊行物
刊行物１：特開昭60−34493号公報（甲第１号証）
刊行物２：特開平２−286197号公報（甲第４号証）
刊行物３：特開平３−111094号公報
刊行物４：特開昭62−122697号公報（甲第２号証）
刊行物５：特開平２−154794号公報（甲第３号証）
エ．刊行物に記載された発明
　明細書の請求項１、請求項２に係る発明に対して、当審が通知した取消理由で引用した、
（１）上記刊行物１には、洗濯機に関して、第１〜6図とともに次の事項が記載されている。
i）「洗濯物の投入される洗濯槽にて該洗濯物の重量を検出する洗濯物の重量検出手段と、該洗濯物の重量検出手段により検出した洗濯物の重量及び洗剤量を報知する報知手段と、該洗濯物の重量検出手段の信号に応じて洗濯槽への給水量を制御する制御手段とを備え、該洗濯物の重量検出手段が出力する信号によって洗濯物の重量を検出して、検出した洗濯物の重量を報知するとともに該洗濯物の重量にしたがって適当な洗剤量を報知し且つ洗濯槽への給水量を制御することを特徴とする洗濯機。」（特許請求の範囲）、
ii）「上記構成において、洗濯物を洗濯槽５に投入すると、該洗濯物の重量により水槽４を軸受けホルダ７，スリーブ９を介して支持している支持シャフト６の支持スプリング８が圧縮され、該水槽４，軸受けホルダ７，スリーブ９が下方に移動（「降下）してインナワイヤ11を引っ張り、該インナワイヤ11の先端に固定した磁石15が下方に移動（降下）して検出器16との距離が離れる。この場合、洗濯槽５に投入される洗濯物の重量に応じて磁石15と検出器16との距離が変化する。また該磁石15によって生じる磁界の強さをＧ，検出器16の出力電圧をＶとした関係は第４図に示すようになり、磁界の強さは磁石15の磁束密度が一定であれば、検出器16との距離に反比例しており、重量測定範囲Ｗ内の磁石15の動き（移動）であれば、洗濯物の重量による水槽４の上下動（上下の移動）により磁界の強さが変化し、その結果、検出器16に出力電圧の差となって導出され洗濯物の重量を検出（測定）する。」（第２頁左上欄第20行〜右上欄第18行）、
iii）「そして洗濯槽５の洗濯物を減らして、判定信号がＶ2＞Ｖ＞Ｖ1であれば、マイコン29は洗濯物の重量が許容量であると判断し、まず、信号電圧Ｖより洗濯物の重量Ｇを検出して、ステップＳ５において洗濯物の重量Ｇに適した洗剤量および給水量を演算する。
　演算された洗剤量はステップＳ６においてそれぞれ「少な目」，「普通」，「多い目」を表示する操作パネル17上の各表示部に装着された発光ダイオード（ＬＥＤ）31，32，33のいずれかひとつを点灯することによって表示される。」（第２頁第14行〜第３頁第４行）。
（２）刊行物２には、洗濯機の運転制御方法に関して、第１〜７図とともに、つぎの事項が記載されている。
i）「布量検出装置（３４）の内容として、・・・、ここで布量の判定をなすものである。
　このようにモーターに流れる電流値の大きさを直接見る場合の他に、モーターを正転、反転させるコンデンサーの端子電圧を見ることも行われている。」（第２頁左上欄第７〜16行）、
ii)「第１図に示すように前記制御装置（15）での慣性パルスの積算は、最初の１回を除いて［ステップ（ハ）］、数回（５回）行われ、この５回のモーター（８）への通電がオフでの慣性パルスの値を積算し、その和で負荷を判定する［ステップ（ニ）（ホ）］。」（第３頁右下欄第18行〜第４頁左上欄第３行）。
（３）刊行物３には、洗濯機布量検出装置に関して、第１〜６図とともに、つぎの事項が記載されている。
i)「布量検知行程は、０．４秒ＯＮ１秒ＯＦＦの反転攪拌を行わせ、ＯＦＦ時の回転体６が惰性にて回転した時のモータ８の逆起電力をモータ８駆動用コンデンサ８ａの端子電圧にて検知し、これを直流矩形波パルスに変換し、このパルス間の時間ｔ１を測定して布量を判定するものである。」（第３頁左上欄第５〜10行）、
ii）「ここで、時間幅ｔ１を１０回繰返しその合計時間としている訳について説明する。そもそもセンシング対象が多種、多様の衣類であるため、センシング攪拌時の衣類と攪拌翼との接触状態は常に一定である訳ではなく、何回かの平均的数値を検出値として決定しなければならない。」（第３頁右上欄第５〜11行）。
（４）刊行物４には、洗濯機に関して、「洗濯物の量を測定できる装置を持つ洗濯機において、洗濯物の投入後、キーインにより水なしでまたは給水しながらかくはんしこのかくはんで洗濯物の量を測定」（特許請求の範囲）することが記載されている。
（５）刊行物５には、予約運転をすることができる洗濯機の制御装置が開示されている。
オ．対比・判断
　上記刊行物１〜５には、エ．で示したように洗濯機の各種制御装置が記載されているものの、本件訂正明細書の請求項１に係る発明（以下「発明１」という）を特定するための事項である、「衣類の量に応じた洗剤量をスプーンの目安で表示し、さらに水量を表示する」点が記載されていない。
　そして、当該事項により、発明１は、「使用者はこの目安表示に従い洗剤を投入する」ことができるという効果を奏するものであり、上記刊行物１〜５に記載された発明に基づき当業者が容易に発明をすることができたものとは認められない。
　また、本件訂正明細書の請求項２に係る発明（以下「発明２」という）は、発明１を更に限定したものであるから、上記発明１についての判断と同様の理由により、上記刊行物１〜５に記載された発明に基づき当業者が容易に発明をすることができたものとは認められない。
　なお、特許異議申立人は「布量に応じた各水位で布量を再度測定し、規定水位にて測定した布量に基づき洗濯工程を実行する洗濯機につき甲第４号証は開示している。」とし、本件発明の請求項３に係る発明については、甲第１号証及び甲第４号証に基づき当業者が容易に推考し得たと主張しているが（異議申立書第10頁第10〜27行参照）、甲第４号証に記載の発明では、規定水位まで給水した後に負荷判定を行っており、判断負荷量が最大負荷量の半分以上の場合に再度給水して負荷判定を行うのであって（特許請求の範囲参照）、給水前と給水後の検知布量より求められる水位を比較して、異なる場合に給水後に求められる水位を用いるという本件請求項３に係る発明とは制御方法が異なる。
　また、甲第４号証に記載の発明が本件請求項３に係る発明を示唆するものとも認められないので、甲第１号証に記載の発明と甲第４号証に記載の発明から、当業者が本件請求項３に係る発明を容易になしえたとは認められず、当該異議申立人の主張は採用することができない。
カ．むすび
　したがって、特許異議申立ての理由及び証拠によっては、本件請求項１〜３に係る発明の特許を取り消すことはできない。
　また、他に本件請求項１〜３にかかる発明の特許を取り消すべき理由を発見しない。
　よって、結論のとおり決定する。
【異議決定日】
平成１３年６月２８日（２００１．６．２８）
【訂正の要旨】
訂正の要旨
ａ．特許請求の範囲の請求項１の「外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、
　前記布量検知手段は、・・・前記攪拌翼に加わる衣類の抵抗を複数回検知し、これらの検知結果に基づいて前記衣類の量を求め、その衣類の量に応じた洗剤量を表示することを特徴とした洗濯機。」を
「外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、
　前記布量検知手段は、・・・前記攪拌翼に加わる衣類の抵抗を複数回検知し、これらの検知結果に基づいて前記衣類の量を求め、その衣類の量に応じた洗剤量をスプーンの目安で表示し、さらに水量を表示することを特徴とした洗濯機。」に訂正する。
ｂ．明細書の段落【０００７】の「上記目的を達成するために、外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、前記布量検知手段は、・・・前記攪拌翼に加わる衣類の抵抗を複数回検知し、これらの検知結果に基づいて前記衣類の量を求め、その衣類の量に応じた洗剤量を表示することを特徴とする。」を
「上記目的を達成するために、外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、前記布量検知手段は、・・・前記攪拌翼に加わる衣類の抵抗を複数回検知し、これらの検知結果に基づいて前記衣類の量を求め、その衣類の量に応じた洗剤量をスプーンの目安で表示し、さらに水量を表示することを特徴とする。」に訂正する。
（５４）【発明の名称】
洗濯機
（５７）【特許請求の範囲】
　【請求項１】
　外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、
　前記布量検知手段は、前記給水手段により水道水を給水する前の前記洗濯兼脱水槽内に投入された乾布状態の衣類を前記攪拌翼で断続的に複数回回転させ、前記攪拌翼が停止に至る慣性回転中に前記攪拌翼に加わる衣類の抵抗を複数回検知し、これらの検知結果に基づいて前記衣類の量を求め、その衣類の量に応じた洗剤量を
スプーンの目安で表示し、さらに水量を
　【請求項２】
　請求項１に記載のものにおいて、予約運転を行う予約運転手段を設け、使用者が前記予約運転手段によって予約運転を設定する際に、前記布量検知手段により前記衣類の量を求め、その衣類の量に応じて洗剤量を表示することを特徴とした洗濯機。
　【請求項３】
　外枠と、この外枠内に吊下される外槽と、前記外槽内に内置される洗濯兼脱水槽と、前記洗濯兼脱水槽内に回転自在に設置される攪拌翼と、前記攪拌翼及び洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、
　前記給水手段により水道水を給水する前の前記洗濯兼脱水槽内に投入された前記衣類が乾布状態のときの前記布量検知手段で得られた布量をもとに決められる第１の設定水位と、前記給水手段により水道水を所定水位まで注水した状態の前記洗濯兼脱水槽内に投入された衣類が湿布状態のときの前記布量検知手段で得られた布量をもとに決められる第２の設定水位とが異なっている場合には前記第２の設定水位をもとに水位を決定することを特徴とする洗濯機。
【発明の詳細な説明】
　【０００１】
　【産業上の利用分野】
　本発明は液体，粉末などの洗剤により衣類を洗浄する洗濯機に係り、特に洗剤量の目安を表示させるための洗濯機に関する。
　【０００２】
　【従来の技術】
　従来の洗剤量目安表示を行う方法としては槽全体を吊り下げている、吊り棒に重量検知装置を取付け布量を検知する方式がある。
　【０００３】
　また規定水位まで水をいれて、撹拌翼を回転させて停止させたときの撹拌翼に加わる抵抗を検知する方式がある。
　【０００４】
　【発明が解決しようとする課題】
　上記従来技術において、
１．槽全体を吊り下げている、吊り棒に重量検知装置を取付け布量を検知する方式は、洗濯機の傾きを考慮すると４本の吊り棒に検知装置を取付ける必要があり、高価な構成となると共に、槽全体は約２０ｋｇあるため布量の１〜３ｋｇを検出するための精度が問題となる。
　【０００５】
２．規定水位まで水をいれて、撹拌翼を回転させて停止させたときの撹拌翼に加わる抵抗を検知する方式は規定水位まで水が入るまで洗剤量が表示されないという欠点がある。
　【０００６】
　本発明の目的は、洗濯開始と同時に洗剤量の目安を表示でき、しかも安価な構成で実現することにある。
　【０００７】
　【課題を解決するための手段】
　上記目的を達成するために、外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、
　前記布量検知手段は、前記給水手段により水道水を給水する前の前記洗濯兼脱水槽内に投入された乾布状態の衣類を前記攪拌翼で断続的に複数回回転させ、前記攪拌翼が停止に至る慣性回転中に前記攪拌翼に加わる衣類の抵抗を複数回検知し、これらの検知結果に基づいて前記衣類の量を求め、その衣類の量に応じた洗剤量を
スプーンの目安で表示し、さらに水量を
　【０００８】
　【作用】
　乾布センシングは、乾いた衣類の状態で撹拌翼を回転させ、停止させたとき撹拌翼に加わる抵抗が、布量により変化するため、撹拌翼の抵抗を捕えることにより、洗濯開始と同時に布量が決定でき洗剤量の目安表示が可能となる。
　【０００９】
　【実施例】
　本発明の実施例を各図面に基づいて説明する。
　【００１０】
　本発明を採用した洗濯機は図１に示すように鋼板製の外枠１内に吊り棒２および防振装置３，４本によって外槽４を吊架する構成になっている。
　【００１１】
　洗濯時の水を溜める外槽４内には洗濯兼脱水槽５を回転自在に設ける。洗濯兼脱水槽には、多数の脱水孔５ａを設ける。洗濯兼脱水槽中央には洗濯撹拌用の撹拌翼６が配設されている。外槽４底面には駆動用モータ７，脱水，洗濯切換用クラッチ８，クラッチ作動および排水弁開閉用の排水バルブモータ９を設置するとともに，底面側壁には洗濯液の電導度を測定する高周波電導度センサー１０（以下電導センサーという）の電極部が外槽４底面を貫通して水中に浸漬するよう設置されている。
　【００１２】
　トップカバー１２後部には操作パネル部１３が設けられており、操作パネル部１３内には水道水栓からの水を槽内に給水する給水電磁弁１４を設ける。給水電磁弁１４の出口は直接洗濯兼脱水槽５に給水する、槽内給水口１５ａに接続されている。（給水電磁弁１４とセンサー給水口１５ａはフレキシブルなホースで接続されている。）操作パネル１３内には更に外槽４の水位を検知する水位センサー（図示せず），洗濯機を制御するための制御基板１７が配置されている。制御基板は図３に示す如く電源スイッチ１８を介し、制御を司どるマイコン，電源回路，ＬＥＤ表示回路，外部操作スイッチ回路，ソレノイド出力回路，出力回路、および電導センサー１０制御用の高周波発振回路，センサー読込回路などから構成されている。
　【００１３】
　次に洗濯機の動作を説明する。洗濯物を投入し電源スイッチを「入」にして、操作スイッチにより「標準」全自動コースを設定し「スタート」ボタンを押すと、全自動運転を実行する。
　【００１４】
　まず始めに乾布センシングを実行する。これは撹拌翼が反時計方向に０．５秒回転−１．０秒停止を３回繰り返し、停止時に撹拌翼に加わる布抵抗を図２の回路でモータ８の逆起電力としてモータ駆動用コンデンサー８ａの端子電圧にて検知し、これを直流矩形波パルスに変換して、このパルス間の時間ｔ１を測定して布量を判定するものである。その時のパルスが図３であり、パルス間時間ｔ１は洗濯物が多いと長く、少ないと短くなる。この布量に応じて図４に示すごとく、水量と洗剤量（スプーン表示）の目安を表示する。使用者はこの目安表示に従い洗剤投入する。約５秒後に給水電磁弁１４が開き、給水を開始する。次に給水が規定された布量センシング水位まで達すると一旦給水を停止し、衣類の量および質を検知し設定水位を決めるため、約３０秒間撹拌する布量センシング行程を実行する。布量センシングにより決定された水量と乾布センシングで決定された水量が異なる場合は布量センシングの水量を優先し水位を決定する。
　【００１５】
　次に布量および布質センシングにより自動設定された水位まで給水し、洗濯を開始し、順次に排水，すすぎ，脱水行程を実行するものである。
　【００１６】
　この布量に応じた洗剤量の目安表示は、予約運転制御装置を備えた洗濯機にも適用できるものである。この予約運転できる洗濯機にあっては、運転予約を設定する際に乾布の布量がセンシングされて洗剤量の目安表示が行われるようにする。この目安表示を見て洗剤を入れておくことにより、洗剤が入れられないまま予約運転の洗濯が行われてしまう不具合がないのである。
　【００１７】
　乾布の布量センシングは、回転翼を一方向に間歇的に回転させるようにする。（ＯＮ−ＯＦＦ）は三回程度させることが望ましい。三回のセンシング値の平均値を見て布量とする。（ＯＮ−ＯＦＦ）のセンシング回転は、多くても５回以下にすべきである。６回以上にしてもセンシング値の精度はそれほど向上しない。むしろ乾布の生地を傷めがちになる。
　【００１８】
　また、撹拌翼の回転方向をバネクラッチの弛み方向の一方向回転としたのでクラッチ装置が確実に洗濯側に切り替わっていなくても確実に撹拌翼だけを回転させることができる。
　【００１９】
　【発明の効果】
　本発明によれば、外枠と、この外枠内に吊下される外槽と、前記外槽内に内置される洗濯兼脱水槽と、前記洗濯兼脱水槽内に回転自在に設置される攪拌翼と、前記攪拌翼及び前記洗濯兼脱水槽を回転駆動する駆動手段と、前記洗濯兼脱水槽に投入された衣類の量を検知する布量検知手段と、前記洗濯兼脱水槽内に水道水を注水する給水手段を有する洗濯機において、前記布量検知手段は、前記給水手段により水道水を給水する前の前記洗濯兼脱水槽内に投入された乾布状態の衣類を前記攪拌翼で断続的に複数回回転させ、前記攪拌翼が停止に至る慣性回転中に前記攪拌翼に加わる衣類の抵抗を複数回検知し、これらの検知結果に基づいて前記衣類の量を求め、その衣類の量に応じた洗剤量を表示することを特徴とする。
　この発明によれば、安価な構成で、しかも洗濯運転開始と同時に洗剤目安表示が可能となり、洗剤の使いすぎや、不足による洗浄力不足が防止できる。
【図面の簡単な説明】
　【図１】
　洗濯機の断面図。
　【図２】
　布量検知センサー回路図の一実施例。
　【図３】
　検知した発生パルス図。
　【図４】
　洗剤量目安表示部の一実施例を示した図。
　【符号の説明】
　４…外槽、５…洗濯兼脱水槽、６…撹拌翼、７…モータ、１０…電導度センサー。